(57)【要約】【課題】遠くからでも開蓋されたことがすぐに判り、しかも、子供にとって開蓋の方法がわかりにくいキャップ付き容器を提供する。【解決手段】容器１と、この容器１の口部４に螺着されるキャップ１１と、閉蓋状態でキャップ１１が上記口部４に対しその周方向に回転するのを阻止する阻止具１５を備え、この阻止具１５が、立板部１６と、この立板部１６の下端面両端部から切り離し自在に垂下する左右一対の帯状垂下部１７で構成され、キャップ１１の外周面に上下方向に延びる左右一対の凹溝１３が形成され、閉蓋状態で上記両凹溝１３に上記両帯状垂下部１７が遊嵌され、その下端の凹部１７ａが上記口部４の根元の凸条６に係合してキャップ１１の回り止めをし、開蓋時には上記立板部１６と両帯状垂下部１７とを切り離すことにより上記凹部１７ａと凸条６との係合を外しキャップ１１の回り止めを解除するようにしている。【選択図】図１０
2008056322.tif 000002
【特許請求の範囲】
【請求項１】
容器と、この容器の口部に螺着されるキャップと、閉蓋状態でキャップが上記口部に対しその周方向に回転するのを阻止する阻止具とを備え、この阻止具が、立板部と、この立板部の下端面両端部から切り離し自在に垂下する左右一対の下端係合部付帯状垂下部とで構成され、上記キャップの外周面に上下方向に延びる左右一対の凹溝が形成され、閉蓋状態で上記両凹溝に上記阻止具の帯状垂下部が遊嵌され、その下端の係合部が容器の口部の根元に周設された被係合部に係合してキャップの回り止めをし、開蓋時には、上記阻止具の立板部と両帯状垂下部とを切り離すことにより帯状垂下部下端の係合部と口部根元の被係合部との係合を外しキャップの回り止めを解除するように構成したことを特徴とするキャップ付き容器。
【請求項２】
上記立板部に吊り下げ用穴部が穿設されている請求項１記載のキャップ付き容器。
【発明の詳細な説明】
【技術分野】
【０００１】
本発明は、化粧料収容容器，食品収容容器，バイアル瓶等の各種容器において、そのキャップが開蓋されたか開蓋されていないかが簡単に判る改ざん防止用のキャップ付き容器に関するものである。
【背景技術】
【０００２】
従来から、化粧料，食品等の各種の内容物を収容する容器と、この容器の口部にねじ止めされるキャップとからなるキャップ付き容器が多く出回っているが、このものは、容器の口部にキャップをねじ止めしているだけであるため、簡単に開蓋することができる。したがって、容易に内容物の改ざん等が行われる危険がある。
【０００３】
そこで、このような改ざん等が行われるのを防止するため、例えば、図１２に示すような改竄防止シュリンクキャップシール３０が提案されている。このシュリンクキャップシール３０は、キャップ３１で閉蓋された容器３２の上部３２ａおよびキャップ３１に、円筒状のシュリンクフィルムチューブ（図示せず）を被覆させた状態で熱収縮させて緊着させたものであり、キャップ３１をシュリンクキャップシール３０とともに回すと、このシュリンクキャップシール３０が破壊されてしまい、これにより、一目で開けられたことが判るようになっている（例えば、特許文献１参照）。図において、３３は上記シュリンクキャップシール３０に設けた多数の切れ目である。
【特許文献１】特開２００３−２３１５３９号公報
【発明の開示】
【発明が解決しようとする課題】
【０００４】
しかしながら、上記のシュリンクキャップシール３０では、シュリンクキャップシール３０が容器３２の上部３２ａおよびキャップ３１に密着状に被覆されているため、遠くから見たのでは、シュリンクキャップシール３０が目立たない。したがって、キャップ３１を開蓋し、シュリンクキャップシール３０を取り除いたのち、再度キャップ３１を閉蓋すると、遠くからでは、シュリンクキャップシール３０が取り除かれたこと（すなわち、キャップ３１が開蓋されたこと）に長時間気付かないおそれがある。しかも、開蓋時には、キャップ３１を開蓋方向に小さな力で回転させるだけでよく、子供でも簡単に開蓋することができる。したがって、容器３２内に人体に有害な薬液等が収容されている場合にも、子供が誤って開蓋して容器３２内の薬液等を飲んでしまうという事故等が発生するおそれがある。
【０００５】
本発明は、このような事情に鑑みなされたもので、遠くからでも開蓋されたことがすぐに判り、しかも、子供にとって開蓋の方法がわかりにくいキャップ付き容器の提供をその目的とする。
【課題を解決するための手段】
【０００６】
上記の目的を達成するため、本発明のキャップ付き容器は、容器と、この容器の口部に螺着されるキャップと、閉蓋状態でキャップが上記口部に対しその周方向に回転するのを阻止する阻止具とを備え、この阻止具が、立板部と、この立板部の下端面両端部から切り離し自在に垂下する左右一対の下端係合部付帯状垂下部とで構成され、上記キャップの外周面に上下方向に延びる左右一対の凹溝が形成され、閉蓋状態で上記両凹溝に上記阻止具の帯状垂下部が遊嵌され、その下端の係合部が容器の口部の根元に周設された被係合部に係合してキャップの回り止めをし、開蓋時には、上記阻止具の立板部と両帯状垂下部とを切り離すことにより帯状垂下部下端の係合部と口部根元の被係合部との係合を外しキャップの回り止めを解除するように構成したという構成をとる。
【発明の効果】
【０００７】
すなわち、本発明のキャップ付き容器は、容器とキャップと阻止具とを備えており、この阻止具が、立板部と、この立板部の下端面両端部から切り離し自在に垂下する左右一対の帯状垂下部とで構成されている。そして、閉蓋状態では、キャップの外周面に上下方向に形成された左右一対の凹溝に上記両帯状垂下部が遊嵌し、かつ、容器の口部の根元に周設された被係合部に上記両帯状垂下部の下端の係合部が係合しており、これにより、キャップが容器の口部に対しその周方向に回転するのが阻止されている。このような閉蓋状態から開蓋する場合には、上記阻止具の立板部と両帯状垂下部とを切り離し、これにより、上記両凹溝と両帯状垂下部との嵌合を外すとともに上記係合部と被係合部との係合を外してキャップを回転可能な状態にし、その状態でキャップを開蓋方向に回転させて開蓋することを行う。
【０００８】
このように、本発明のキャップ付き容器では、開蓋する場合には、阻止具の立板部と両帯状垂下部とを切り離して容器の口部およびキャップから取り外さなければならないため、開蓋する際に、阻止具が容器の口部およびキャップに取り付けられているかいないかの区別により、一度開蓋されたことがあるか、まだ開蓋されたことがないかが、簡単に判る。しかも、上記阻止具は立板部を有しており、遠くから見ても目立つため、上記阻止具の立板部がキャップ上になければ、遠くからでもすぐに気付き、阻止具が容器の口部およびキャップから取り外されていることが判る。そのうえ、開蓋する場合には、上記阻止具の立板部と両帯状垂下部とを切り離さなければならず、子供にとって開蓋の方法がわかりにくく、誤飲等の事故を未然に防ぐことができる。
【０００９】
また、本発明において、上記立板部に吊り下げ用穴部が穿設されている場合には、上記立板部を吊り下げ用の道具としても利用することができ、便利である。
【発明を実施するための最良の形態】
【００１０】
つぎに、本発明を実施するための最良の形態について説明する。ただし、本発明は、この実施の形態に限られるものではない。
【００１１】
図１は本発明のキャップ付き容器の一実施の形態を示している。図において、１は合成樹脂製の容器であり、この実施の形態では、高級感のある化粧料収容容器が用いられている。上記容器１は、内部に化粧料（図示せず）を収容する胴部２と、この胴部２の上端開口部から上方に向かって縮径状に延びる肩部３（上記胴部２の天井壁で構成されている）と、この肩部３の中央開口部から上方に向かって略円筒状に延びる口部４（図２参照）とを備えている。
【００１２】
この口部４には、図３および図４に示すように、その外周面に第１ねじ部５が刻設されており、その下端部（根元）には、上記肩部３との間に所定の隙間をあけた状態で、上記口部４の周方向に沿って延びる１条の円環状の凸条（被係合部）６が突設されている。
【００１３】
１１は上記容器１の口部４に螺着される合成樹脂製のキャップ（図５参照）であり、略有天円筒状に形成されている。このキャップ１１には、図６に示すように、その内周面に、上記第１ねじ部５に螺合する第２ねじ部１２が刻設されており、また、図７に示すように、その左右両側部の外周面に、上下方向に（キャップ１１の上端面から下端面まで）延びる左右一対の凹溝１３が形成されている。図６において、１４は上記口部４の上面開口部を密閉するためのシリコンゴム製のシール材（ゴム硬度がショアＡ硬さで４０〜９０度の範囲内にある）であり、上記キャップ１１と別体であってもよいし、キャップ１１の天井壁１１ａの下面に接着，一体化されていてもよい。
【００１４】
１５は閉蓋状態でキャップ１１が上記口部４に対しその周方向に回転するのを阻止するための略コ字状の阻止具であり、図８および図９に示すように、その上部中央に吊り下げ用穴部１６ａが穿設されその下部に各種の広告表示等（図示せず）がなされた平板状の立板部１６と、この立板部１６の下端面の左右両側部から垂下する左右一対の帯状垂下部１７とからなっている。また、上記立板部１６と両帯状垂下部１７とは左右一対の薄肉部１８により切り離し自在に連結されている。これら両薄肉部１８の厚みは、０．１〜２．０ｍｍの範囲内に設定され、好適には、０．２〜１．２ｍｍの範囲内に設定されている。
【００１５】
上記立板部１６は、閉蓋時にキャップ１１の天井壁１１ａの天井面に当接した状態で、この天井面上に略垂直に立てられるようになっており、また、上記吊り下げ用穴部１６ａを利用することで、容器１を陳列壁等のフック等（図示せず）に吊り下げることもできるようになっている。また、上記両帯状垂下部１７（特に内側部分）は、閉蓋時にキャップ１１の両凹溝１３と上記周方向に回り止め状に遊嵌しうる厚みに形成されており、上記両帯状垂下部１７の下端部の内側部分には、閉蓋時に上記口部４の凸条６と上記周方向に回り止め状に係合する凹部（係合部）１７ａが形成されている。なお、上記口部４の凸条６と上記両帯状垂下部１７の凹部１７ａとは、キャップ１１を大きな力で開蓋方向に回転させようとしても、回転しない程度に係合していれば足り、それ以上の力で開蓋方向に回転させると、回転してもかまわない。
【００１６】
上記の構成において、閉蓋状態では、容器１の口部４の凸条６に阻止具１５の両帯状垂下部１７の凹部１７ａが係合し、上記口部４に螺着されたキャップ１１の両凹溝１３に上記両帯状垂下部１７の内側部分が遊嵌しており、これにより、キャップ１１が上記口部４に対してその周方向に回り止めされている。また、阻止具１５の立板部１６はキャップ１１の天井壁１１ａの天井面上に立てられている。
【００１７】
この閉蓋状態からキャップ１１を開蓋する場合には、図１の状態から阻止具１５の立板部１６を前後のいずれかに倒して立板部１６と両帯状垂下部１７とを両薄肉部１８から切り離し、凸条６と両凹部１７ａとの係合および両凹溝１３と両帯状垂下部１７の内側部分との遊嵌を外したのち（図１０参照）、キャップ１１を開蓋方向に回転させて開蓋することを行う。
【００１８】
一方、上記口部４に阻止具１５をセットする場合には、まず、キャップ１１の上方に阻止具１５を配設してキャップ１１の両凹溝１３上に阻止具１５の両帯状垂下部１７を位置決めし（図１１参照）、その状態で阻止具１５を下降させて上記両凹溝１３に両帯状垂下部１７の内側部分を遊嵌させるとともに、上記口部４の凸条６に両帯状垂下部１７の凹部１７ａを係合させることを行う。
【００１９】
このように、上記実施の形態では、開蓋する場合には、阻止具１５の立板部１６と両帯状垂下部１７とを切り離して容器１の口部４およびキャップ１１から取り外さなければならないため、開蓋する際に、阻止具１５が上記口部４およびキャップ１１に取り付けられているかいないかの区別により、一度開蓋されたことがあるか、まだ開蓋されたことがないかが、簡単に判る。しかも、阻止具１５は立板部１６を有しており、遠くから見ても目立つため、上記立板部１６がキャップ１１上になければ、遠くからでもすぐに気付き、阻止具１５が上記口部４およびキャップ１１から取り外されていることが判る。しかも、開蓋する場合には、上記立板部１６と両帯状垂下部１７とを切り離さなければならず、子供にとって開蓋の方法がわかりにくい。しかも、上記立板部１６に吊り下げ用穴部１６ａが穿設されているため、上記立板部１６を吊り下げ用の道具としても利用することができ、便利である。
【００２０】
なお、上記実施の形態では、阻止具１５の立板部１６に吊り下げ用穴部１６ａが穿設されているが、これに限定されるものではなく、吊り下げ用穴部１６ａが穿設されていなくてもよい。また、上記実施の形態において、阻止具１５の立板部１６と両帯状垂下部１７とを切り離し可能に連結する両薄肉部１８に代えて、ミシン目を設けてもよい。
【００２１】
また、上記実施の形態では、容器１の口部４の下端部に凸条６が突設され、阻止具１５の両帯状垂下部１７の下端部に凹部１７ａが形成されているが、上記口部４の下端部に凹部１７ａが形成され、上記両帯状垂下部１７の下端部に凸部が突設されていてもよい。また、上記口部４の下端部と両帯状垂下部１７の下端部とがローレット構造により係合していてもよい。この場合には、確実に上記口部４と阻止具１５の両帯状垂下部１７との回り止めを阻止することができる。
【図面の簡単な説明】
【００２２】
【図１】本発明のキャップ付き容器の一実施の形態を示す斜視図である。
【図２】上記キャップ付き容器の要部の断面図である。
【図３】容器の口部の断面図である。
【図４】上記口部の正面図である。
【図５】上記口部にキャップを螺着した状態を示す斜視図である。
【図６】上記キャップの断面図である。
【図７】上記キャップの平面図である。
【図８】阻止具の正面図である。
【図９】上記阻止具の平面図である。
【図１０】上記キャップ付き容器の作用を示す斜視図である。
【図１１】上記キャップ付き容器の作用を示す斜視図である。
【図１２】従来例を示す正面図である。
【符号の説明】
【００２３】
１  容器
４  口部
６  凸条
１１  キャップ
１３  凹溝
１５  阻止具
１６  立板部
１７  帯状垂下部
１７ａ  凹部
【図１】
2008056322.tif 000003
【図２】
2008056322.tif 000004
【図３】
2008056322.tif 000005
【図４】
2008056322.tif 000006
【図５】
2008056322.tif 000007
【図６】
2008056322.tif 000008
【図７】
2008056322.tif 000009
【図８】
2008056322.tif 000010
【図９】
2008056322.tif 000011
【図１０】
2008056322.tif 000012
【図１１】
2008056322.tif 000013
【図１２】
2008056322.tif 000014